(57)【要約】【課題】記録された関連性を有する番組群を任意の番組から連続して再生したり、あるいは特定の番組のみを再生したりすることができる記録再生装置及び記録再生方法に関する。【解決手段】録画再生装置３における管理情報作成部４０２は、関連性を有する番組群を順序関係を保ちながら関連付けたシリーズとして管理するシリーズ管理情報３４４を作成し、録画再生部３５は、シリーズ管理情報３４４に基づいて、関連性を有する番組群を順序関係を保ちながら連続して再生したり、あるいは特定の番組のみを再生したりすることができる。【選択図】図３
2008130175.tif 000002
【特許請求の範囲】
【請求項１】
番組を受信する受信部と、
前記番組を記録予約する記録予約部と、
前記記録予約した前記番組の番組データを記録する記録部と、
前記番組データに基づいて前記番組を再生する再生部と、
前記番組を表示する表示部と、
前記番組データから関連性を有する番組群をシリーズとして検出するシリーズ検出部と、
前記番組群の順序関係を保ちながら前記シリーズを管理するシリーズ管理情報を作成し、前記シリーズ管理情報に基づいて前記番組群を前記再生部に再生させる制御部とを有することを特徴とする記録再生装置。
【請求項２】
前記制御部は、前記番組群に含まれる番組が選択されたとき、前記番組群の再生を選択することができるメニュを前記表示部に表示させることを特徴とする請求項１に記載の記録再生装置。
【請求項３】
前記制御部は、前記番組群に含まれる番組が選択されたとき、前記メニュによって前記選択された番組からの再生を前記再生部に選択させることを特徴とする請求項２に記載の記録再生装置。
【請求項４】
前記制御部は、前記再生部が再生した前記番組群の再生停止位置に基づいて前記シリーズ管理情報を書き換え、前記番組群の再生が指示されたとき、前記再生部に前記再生停止位置から前記番組群を再生させることを特徴とする請求項１に記載の記録再生装置。
【請求項５】
前記制御部は、前記番組群の始めから前記再生停止位置までのダイジェスト管理情報を作成し、前記番組群の再生が指示されたとき、前記再生部に前記ダイジェスト管理情報に基づいて前記番組群を再生させることを特徴とする請求項１に記載の記録再生装置。
【請求項６】
前記制御部は、前記番組群の始めから前記再生停止位置までに含まれる次回予告を含む前記ダイジェスト情報を作成し、前記番組群の再生が指示されたとき、前記再生部に前記ダイジェスト情報に基づいて、前記次回予告を再生させることを特徴とする請求項５に記載の記録再生装置。
【請求項７】
番組を受信する受信ステップと、
前記番組を記録予約する記録予約ステップと、
前記記録予約した前記番組の番組データを記録部に記録させる記録ステップと、
前記番組データに基づいて前記番組を再生する再生ステップと、
前記番組を表示部に表示させる表示ステップと、
前記番組データから関連性を有する番組群をシリーズとして検出するシリーズ検出ステップと、
前記番組群の順序関係を保ちながら前記シリーズを管理するシリーズ管理情報を作成し、前記シリーズ管理情報に基づいて前記番組群を前記再生ステップに再生させる制御ステップとを有することを特徴とする記録再生方法。
【請求項８】
前記制御ステップは、前記番組群に含まれる番組が選択されたとき、前記番組群の再生を選択することができるメニュを前記表示部に表示させることを特徴とする請求項７に記載の記録再生方法。
【請求項９】
前記制御ステップは、前記番組群に含まれる番組が選択されたとき、前記メニュによって前記選択された番組からの再生を前記再生ステップに選択させることを特徴とする請求項８に記載の記録再生方法。
【請求項１０】
前記制御ステップは、前記再生ステップが再生した前記番組群の再生停止位置に基づいて前記シリーズ管理情報を書き換え、前記番組群の再生が指示されたとき、前記再生ステップに前記再生停止位置から前記番組群を再生させることを特徴とする請求項７に記載の記録再生方法。
【請求項１１】
前記制御ステップは、前記番組群の始めから前記再生停止位置までのダイジェスト管理情報を作成し、前記番組群の再生が指示されたとき、前記再生ステップに前記ダイジェスト管理情報に基づいて前記番組群を再生させることを特徴とする請求項７に記載の記録再生方法。
【請求項１２】
前記制御ステップは、前記番組群の始めから前記再生停止位置までに含まれる次回予告を含む前記ダイジェスト情報を作成し、前記番組群の再生が指示されたとき、前記再生ステップに前記ダイジェスト情報に基づいて、前記次回予告を再生させることを特徴とする請求項１１に記載の記録再生方法。
【発明の詳細な説明】
【技術分野】
【０００１】
本発明は、記録再生装置及び記録再生方法に関し、特に記録された関連性を有する番組群を任意の番組から連続して再生したり、あるいは特定の番組のみを再生したりすることができる記録再生装置及び記録再生方法に関する。
【背景技術】
【０００２】
従来の技術として、関連性を有する番組群を順序関係を保ちながら、連続して再生することができる録画再生装置が開示されている（例えば、特許文献１参照）。
【０００３】
この録画再生装置によると、録画された番組の一覧を、モニタに表示させたとき、録画された関連性を有する番組群は、録画された日時が最も古い番組のみが表示され、これを選択することで、関連性を有する番組群は、順序関係を保ちながら連続して再生される。
【特許文献１】特開２００６−２０２４２８号公報
【発明の開示】
【発明が解決しようとする課題】
【０００４】
しかし、従来の録画再生装置によると、番組の一覧に表示されるのは、関連性を有する番組群に含まれる番組の中で、最も録画された日時が古い番組のみであるので、ユーザが、番組の一覧に表示されない関連性を有する番組群に含まれる番組の中から任意の番組を選んで再生することができなかった。
【０００５】
従って、本発明の目的は、記録された関連性を有する番組群を任意の番組から連続して再生したり、あるいは特定の番組のみを再生したりすることができる記録再生装置及び記録再生方法を提供することにある。
【課題を解決するための手段】
【０００６】
（１）本発明は上記目的を達成するため、番組を受信する受信部と、前記番組を記録予約する記録予約部と、前記記録予約した前記番組の番組データを記録する記録部と、前記番組データに基づいて前記番組を再生する再生部と、前記番組を表示する表示部と、前記番組データから関連性を有する番組群をシリーズとして検出するシリーズ検出部と、前記番組群の順序関係を保ちながら前記シリーズを管理するシリーズ管理情報を作成し、前記シリーズ管理情報に基づいて前記番組群を前記再生部に再生させる制御部とを有することを特徴とする記録再生装置を提供する。
【０００７】
このような構成によれば、記録された関連性を有する番組群を任意の番組から連続して再生したり、あるいは特定の番組のみを再生したりすることができる。
【０００８】
（２）本発明は上記目的を達成するため、番組を受信する受信ステップと、前記番組を記録予約する記録予約ステップと、前記記録予約した前記番組の番組データを記録部に記録させる記録ステップと、前記番組データに基づいて前記番組を再生する再生ステップと、前記番組を表示部に表示させる表示ステップと、前記番組データから関連性を有する番組群をシリーズとして検出するシリーズ検出ステップと、前記番組群の順序関係を保ちながら前記シリーズを管理するシリーズ管理情報を作成し、前記シリーズ管理情報に基づいて前記番組群を前記再生ステップに再生させる制御ステップとを有することを特徴とする記録再生方法を提供する。
【０００９】
このような構成によれば、記録された関連性を有する番組群を任意の番組から連続して再生したり、あるいは特定の番組のみを再生したりすることができる。
【発明の効果】
【００１０】
本発明によれば、記録された関連性を有する番組群を任意の番組から連続して再生したり、あるいは特定の番組のみを再生したりすることができる。
【発明を実施するための最良の形態】
【００１１】
（録画再生システムの構成）
図１は、本発明の実施の形態に係る録画再生システムの概略図である。一例として、記録再生装置としての録画再生装置を有する録画再生システムについて説明する。
【００１２】
録画再生システム１は、表示部としてのモニタ２と、録画再生装置３と、録画再生装置３に設けられた番組を受信するアンテナ４と、ネットワークの集合体であるインターネット５とから構成される。
【００１３】
モニタ２は、画像を表示する表示画面２０を有し、録画再生装置３は、録画予約日時等が表示される情報表示部３６を有する。
【００１４】
図２は、本発明の実施の形態に係る録画再生装置のブロック図である。録画再生装置３は、アンテナ４で受信した放送波を処理する受信部３０と、記録予約としての録画予約や番組の録画・再生等の指示の入力する入力部３１と、インターネット５等と通信する通信部３２と、各部を統括的に制御する制御部３３と、録画部としての記憶部３４と、受信した番組を録画・再生する録画再生部３５と、録画予約日時等が表示される情報表示部３６と、モニタ２等に録画再生部３５で再生した番組データとしての録画データを出力する出力部３７とを有する。
【００１５】
記憶部３４は、一例として、ＨＤＤ（Ｈａｒｄ  Ｄｉｓｋ  Ｄｒｉｖｅ）によって各種データを記憶し、録画再生を実行するためのソフトウェア３４０と、録画予約の内容を表す録画予約情報３４１と、録画された番組の管理情報である録画番組管理情報３４２と、ユーザが作成したプレイリストの管理情報であるプレイリスト管理情報３４３と、関連性を有する番組群の管理情報であるシリーズ管理情報３４４と、録画された番組のデータである録画データ３４５とを有する。
【００１６】
ここで、関連性を有する番組群とは、記憶部３４に記憶された録画データ３４５の中で、後述するシリーズ予約に基づいて録画された番組の録画データ３４５のことを意味している。関連性を有する番組群は、以下において、シリーズと呼ぶことにする。なお、番組は、受信部３０で受信した番組の他に、インターネット５から供給される番組や記録媒体から供給される番組でも良く、また、これに限定されない。
【００１７】
また、記憶部３４は、ＨＤＤによって録画データ３４５等を記憶するが、磁気テープ、半導体メモリ、光ディスク、磁気ディスク等の記録媒体でも良いし、これに限定されない。
【００１８】
図３は、本発明の実施の形態に係る制御部によって実行されるソフトウェアのブロック図である。記憶部３４に記憶されるソフトウェア３４０は、オペレーティングシステム４１０と、アプリケーション群４０００と、ドライバ群４２００とから構成され、オペレーティングシステム４１０は、アプリケーション群４０００とドライバ群４２００とを統括して処理し、ドライバ群４２００の各ドライバには、ハードウェアとしてのデバイス群４３００が接続されている。ソフトウェア３４０は、制御部３３によって記憶部３４から読出され、実行される。
【００１９】
アプリケーション群４０００は、入力部３１で入力された番組の録画予約を処理する記録予約部としての録画予約部４００と、録画データ３４５からシリーズを検出するシリーズ検出部４０１と、録画データ３４５等の管理情報を作成する管理情報作成部４０２とを有する。
【００２０】
ドライバ群４２００は、受信部３０を管理する受信ドライバ４２０と、入力部３１を管理する入力ドライバ４２１と、通信部３２を管理する通信ドライバ４２２と、記憶部３４を管理するメディアドライバ４２３と、録画再生部３５を管理するコーデックドライバ４２４と、情報表示部３６を管理する表示ドライバ４２５と、出力部３７を管理する出力ドライバ４２６とを有する。
【００２１】
図４は、本発明の実施の形態に係る録画予約情報の一例を表す図である。録画予約情報は、ユーザが入力部３１から入力した、録画予約された番組の放送日時や放送局等を表す情報である。
【００２２】
録画予約情報３４１は、予約名情報３４１０と、予約日時情報３４１１とを有する。予約名情報３４１０は、登録された録画予約に付加された名前である。また、予約日時情報３４１１は、登録された録画予約が実行される日時と入力経路（例えば放送局のチャンネル等）とを表している。
【００２３】
なお、シリーズ予約とは、一例として、決まった曜日の決まった時間に放送される番組を、一度の録画予約で継続的に録画することができる録画予約のことを表している。また、シリーズ予約の方法は、ユーザが、直接入力する以外に、録画予約部４００が、ＥＰＧ（Ｅｌｅｃｔｒｏｎｉｃ  Ｐｒｏｇｒａｍ  Ｇｕｉｄｅ）から、ユーザの嗜好を表す予め登録されたキーワードに対応する番組を抽出し、録画予約するようにしても良いし、これに限定されない。また、通常予約は、１回の放送の番組を録画する録画予約を表している。
【００２４】
図５は、本発明の実施の形態に係る録画番組管理情報の一例を表す図である。録画番組管理情報３４２は、記憶部３４に記憶された録画データ３４５に録画された日時の順序関係を保ちながら付加される番号である情報ＩＤ３４２０と、予約名情報３４１０に基づいて付加される番組名情報３４２１と、番組が録画された日時と入力経路とを表す録画番組情報３４２２と、録画に要した時間を表す録画時間情報３４２３と、録画予約を実行するとき、参照した予約名情報３４１０である参照情報３４２４と、番組名情報３４２１に対応する番組が、どの時間位置まで再生されたかを表す前回再生停止位置情報３４２５とを有する。
【００２５】
図６は、本発明の実施の形態に係るプレイリスト管理情報の一例を表す図である。ユーザが、録画した番組の中で自分の好む番組を登録したものをプレイリストと呼び、１つのプレイリストに登録された番組は、連続して再生される。また、登録される番組は、番組全体でなくても良く、番組の気にいった再生区間でも良い。
【００２６】
プレイリスト管理情報３４３は、プレイリストを識別するＩＤであるプレイリストＩＤ３４３０と、プレイリストに付加された名前であるプレイリスト名情報３４３１と、プレイリストに登録された番組の情報であるプレイリスト構成情報３４３２と、録画番組管理情報３４２から取得される情報ＩＤ３４２０と、１つのプレイリストに登録されたすべての番組の再生に有する時間を表す再生時間情報３４３３と、１つのプレイリストがどの時間位置まで再生されたのかを表す前回再生停止位置情報３４３４とを有する。
【００２７】
プレイリストＩＤ３４３０「Ｎｏ．１００１」のプレイリスト構成情報３４３２は、録画データ３４５「Ｂ−１３」の時間「００：０２：００」から「００：０４：００」の２分間が登録されていることを表しており、前回再生停止位置情報３４３４は、時間「００：１０：００」まで再生したことを表しており、更に、「Ａ−３の００：３１：００」は、録画データ３４５「Ａ−３」の時間「００：３１：００」で、再生が停止したことを表している。
【００２８】
図７は、本発明の実施の形態に係るシリーズ管理情報の一例を表す図である。シリーズ管理情報３４４は、シリーズを識別するＩＤであるシリーズＩＤ３４４０と、シリーズに付加された名前であるシリーズ名情報３４４１と、シリーズに登録された番組の情報であるシリーズ構成情報３４４２と、録画番組管理情報３４２から取得される情報ＩＤ３４２０と、１つのシリーズの再生に有する時間を表す再生時間情報３４４３と、１つのシリーズがどの時間位置まで再生されたのかを表す前回再生停止位置情報３４４４とを有する。
【００２９】
シリーズＩＤ３４４０「Ｎｏ．２００１」のシリーズ構成情報３４４２は、番組「Ａ−１」から「Ａ−４」が登録されていることを表しており、前回再生停止位置情報３４４４は、時間「０１：２７：２０」まで再生したことを表しており、更に、「Ａ−２の００：２７：２０」は、番組「Ａ−２」の時間「００：２７：２０」で、再生が停止したことを表している。
【００３０】
図８は、本発明の実施の形態に係る録画された番組の一覧の一例を表す図である。メニュ２００は、選択した番組を再生する通常再生２０１と、選択したシリーズを再生するシリーズ再生２０２と、選択したシリーズの情報を表示するシリーズ情報表示２０３と、選択した番組を削除する録画番組削除２０４と、選択したシリーズを削除するシリーズ削除２０５とを有する。
【００３１】
シリーズ再生２０２、シリーズ情報表示２０３及びシリーズ削除２０５は、ユーザが選択した番組がシリーズであったとき、表示画面２０に表示される。一例として、ユーザが、シリーズでない番組Ｄを選択したとき、メニュ２００には、通常再生２０１及び録画番組削除２０４のみが、表示画面２０に表示される。
【００３２】
また、一例として、録画された番組の一覧が、モニタ２の表示画面２０に表示されるとしたが、録画された番組の一覧を録画再生装置３の情報表示部３６に表示させても良いし、これに限定されない。
【００３３】
また、図８において、録画された番組の一覧の中にシリーズを表示し、直接選択できるようにしても良いし、これに限定されない。
【００３４】
（録画再生システムの動作）
以下に、本発明の実施の形態における録画再生システム１の動作を図１から図９を参照しつつ、図１０及び図１１のフローチャートに従って説明する。
【００３５】
図９は、本発明の実施の形態に係るシリーズ管理情報の更新の一例を表す模式図である。シリーズ管理情報３４４が、管理情報作成部４０２によって、録画された日時の順序関係を保ちながら自動で更新される様子を表している。
【００３６】
（シリーズ管理情報の作成）
ユーザは、録画予約するために、リモコン（図示せず）または、録画再生装置３の入力部３１を操作する。制御部３３は、入力部３１からの入力情報に基づいて、録画予約部４００に録画予約情報３４１に基づいた録画予約設定画面を、出力部３７からモニタ２に表示させるように指示情報を送信する。
【００３７】
ユーザは、一例として、図４に示す、シリーズ予約Ａ「毎週月曜日  ２１：００〜２２：００  ＣＨ８」をリモコンまたは、入力部３１を操作して録画予約する。これは、毎週月曜日の２１：００から２２：００まで、放送局「ＣＨ８」で放送される番組を、録画することを表している。
【００３８】
録画予約部４００は、入力情報に基づいて、予約名情報３４１０と予約日時情報３４１１とを録画予約情報３４１として記憶部３４に記憶し、番組の録画予約を終了する。
【００３９】
録画予約した日時、すなわち、月曜日の２１：００（２１時００分）がきたとき、制御部３３は、録画予約情報３４１に基づいて、録画予約された番組の録画を録画再生部３５に指示し、録画再生部３５は、受信部３０で受信した番組を録画できるように処理し、作成した録画データ３４５を記憶部３４に記憶し、録画予約された番組の録画を終了する（Ｓ１）。
【００４０】
録画が終了した後、管理情報作成部４０２は、録画された番組の録画予約情報３４１に基づいて、新たに録画した番組の管理情報を作成し、記憶部３４から取得した録画番組管理情報３４２を更新し（Ｓ２）、録画番組管理情報３４２を、記憶部３４に記憶させる（Ｓ３）。
【００４１】
シリーズ検出部４０１は、録画予約情報３４１に基づいて、録画番組管理情報３４２の中から、シリーズを示す参照情報３４２４を有する録画された番組を記憶部３４から検出し、その番組の参照情報３４２４を取得する（Ｓ４）。
【００４２】
制御部３３は、その参照情報３４２４が、シリーズ予約であるか否かを判断し、参照情報３４２４が、シリーズ予約であったとき（Ｓ５；Ｙｅｓ）、シリーズ管理情報３４４を記憶部３４から取得し（Ｓ６）、管理情報作成部４０２に送信する。
【００４３】
管理情報作成部４０２は、録画した番組の参照情報３４２４に対応するシリーズ管理情報３４４が存在するとき、対応するシリーズ管理情報３４４を更新する（Ｓ７）。この更新は、一例として、図９に示すように、対応するシリーズ管理情報３４４の情報ＩＤ３４２０に新しく録画された番組の情報ＩＤ３４２０を、順序関係を保ちながら追加することによって行われる。
【００４４】
また、録画した番組の参照情報３４２４に対応するシリーズ管理情報３４４が存在しないとき、管理情報作成部４０２は、新しくシリーズＩＤ３４４０を追加し、シリーズ管理情報３４４を更新する（Ｓ７）。
【００４５】
管理情報作成部４０２は、更新したシリーズ管理情報３４４を記憶部３４に記憶させ（Ｓ８）、動作を終了する。
【００４６】
ここで、ステップ５において、録画された番組が、シリーズ予約ではなかったとき（Ｓ５；Ｎｏ）、動作を終了する。
【００４７】
録画予約部４００は、インターネット５、あるいは、放送波で提供されるＥＰＧから、ユーザが入力した、ユーザの嗜好を表す録画再生装置３に登録されたキーワードに基づいて、録画する番組を選択し、録画予約情報３４１を作成し、管理情報作成部４０２は、そうして録画された番組をシリーズとしてシリーズ管理情報３４４を作成するようにしてもよい。
【００４８】
（シリーズ再生の動作）
ユーザが、録画された番組を視聴するため、リモコン又は、録画再生装置３の入力部３１を操作する。
【００４９】
制御部３３は、入力部３１からの入力情報に基づいて、録画番組管理情報３４２を記憶部３４から取得し、取得した録画番組管理情報３４２に基づいて、録画された番組の一覧表示情報を作成する。
【００５０】
制御部３３は、録画された番組の一覧表示情報を出力部３７から出力し、モニタ２は、表示画面２０に、図８に示す、録画された番組の一覧を表示する。なお、「Ｂ−６」、「Ｃ」等は、録画された番組の名前を表している。
【００５１】
ユーザは、一例として、録画された番組の一覧の中の「Ａ−３」という番組をリモコンを用いて選択する。「Ａ−３」は、図４に示す、録画予約情報３４１のシリーズ予約Ａに基づいて録画されたシリーズであり、その３話目であることを表している。図中の「Ａ−３」の網目は、選択された状態を表している。
【００５２】
ユーザが「Ａ−３」を選択したとき、制御部３３は、入力部３１からの入力情報に基づいて、録画番組管理情報３４２を記憶部３４から取得し、参照情報３４２４が、シリーズ予約か否かを判断する。
【００５３】
「Ａ−３」の参照情報３４２４は、シリーズ予約であるから、制御部３３は、メニュ情報を作成して出力部３７から出力し、図８に示すように、モニタ２の表示画面２０にメニュ２００を表示させる。
【００５４】
ユーザが、シリーズ再生２０２をリモコン等を用いて選択すると（Ｓ１０）、入力部３１から、入力信号を受信した制御部３３は、記憶部３４からシリーズ管理情報３４４を取得し、選択されたシリーズ再生２０２に対応した、前回再生停止位置情報３４４４を取得する（Ｓ１１）。
【００５５】
ここで、ユーザが、シリーズとしてではなく、「Ａ−３」のみを視聴したいとき、通常再生２０１を選択することで、「Ａ−３」に対応した録画番組管理情報３４２（情報ＩＤ３４２０がＮｏ．９２）の前回再生停止位置情報３４２５に基づいて、再生される。
【００５６】
制御部３３は、取得した前回再生停止位置情報３４４４に基づいて、録画再生部３５に指示を出し、録画再生部３５は、制御部３３からの指示に基づいて、記憶部３４から対応する録画データ３４５の再生を開始し（Ｓ１２）、出力部３７に出力する。
【００５７】
ここで、ユーザが、通常行われている早送りや巻き戻し、スキップ再生等は、シリーズであっても、１つの番組と同じように行うことができる。
【００５８】
制御部３３は、シリーズが、最後まで再生されず（Ｓ１３；Ｎｏ）、再生が停止されたとき（Ｓ１４；Ｙｅｓ）、録画再生部３５から取得した再生を停止した位置情報を管理情報作成部４０２に送信する。
【００５９】
管理情報作成部４０２は、再生を停止した位置情報に基づいて、シリーズ管理情報３４４の前回再生停止位置情報３４４４を更新し（Ｓ１５）、記憶部３４に記憶させ（Ｓ１６）、動作を終了する。
【００６０】
ここで、ステップ１３において、ユーザが、最後までシリーズを視聴したとき（Ｓ１３；Ｙｅｓ）、管理情報作成部４０２は、シリーズ管理情報３４４の前回再生停止位置情報３４４４をシリーズの先頭を示す「００：００：００」と更新し（Ｓ１７）、記憶部３４に記憶させ（Ｓ１６）、動作を終了する。
【００６１】
また、ステップ１４において、ユーザが、再生を途中で停止しないとき（Ｓ１４；Ｎｏ）、ステップ１３に戻って、最後まで再生されるか、再生を途中で停止するかのどちらかが成立するまで、動作は続けられる。
【００６２】
（実施の形態の効果）
上記した実施の形態によると、録画された関連性を有する番組群（シリーズ）を任意の番組から連続して再生したり、あるいは特定の番組のみを再生したりすることができる。
【００６３】
（変形例１）
図１２は、本発明の変形例に係るソフトウェアに関するブロック図である。なお、本変形例において、実施の形態と同一の構成及び機能を有する部分については、共通の符号を付している。
【００６４】
シーン検出部４０３は、アプリケーション群４０００に含まれ、シリーズが再生された時間位置までで、録画再生装置３に予め登録されたシーンを検出する。ダイジェスト情報作成部４０４は、シーン検出部４０３からシーン検出情報を受け取り、ダイジェスト管理情報を作成する。
【００６５】
登録されたシーンとは、一例として、番組の後半部分の「次回予告」等を示す。「次回予告」は、番組の中で決められた時間に、次回放送分の番組の内容について放送されるシーンのことである。
【００６６】
一例として、ユーザが、予約情報Ａによって録画されたシリーズの「Ａ−４」の途中で再生を停止した後、再び、図８に示す、予約情報Ａによって録画された番組をいずれか選択し、メニュ２００のシリーズ再生２０２を選択したとき、録画再生部３５は、ダイジェスト管理情報に基づいて、今まで視聴した「Ａ−１」から「Ａ−３」に含まれる「次回予告」をダイジェスト再生する。
【００６７】
なお、ユーザが、メニュ２００において、シリーズ再生２０２を選択したとき、ダイジェスト再生するようにするだけでなく、メニュ２００にダイジェスト再生を追加して、選択させるようにしても良いし、これに限定されない。また、ダイジェスト再生は、一例として、スポーツ番組であれば、点が入ったシーン等を検出させて、ダイジェストとして再生するようにすることもできるし、これに限定されない。
【００６８】
（変形例２）
シーン検出部４０３は、番組に含まれる決められたシーン（例えば、主題歌部分等）を検出してシーン検出情報を作成し、管理情報作成部４０２は、シーン検出情報に基づいて、決められたシーンを削除して、シリーズを再生するようにシリーズ管理情報３４４を作成し、録画再生部３５は、シリーズ管理情報３４４に基づいて、シリーズを再生する。
【００６９】
（変形例３）
録画再生装置３は、シリーズ管理情報３４４に基づいて、シリーズを1つの番組として、出力部３７に接続された外部記憶装置（図示せず）に記憶させることができる。
【００７０】
なお、本発明は、上記した実施の形態及び変形例に限定されず、本発明の技術思想を逸脱あるいは変更しない範囲内で種々の変形が可能である。
【図面の簡単な説明】
【００７１】
【図１】本発明の実施の形態に係る録画再生システムの概略図である。
【図２】本発明の実施の形態に係る録画再生装置のブロック図である。
【図３】本発明の実施の形態に係る制御部によって実行されるソフトウェアのブロック図である。
【図４】本発明の実施の形態に係る録画予約情報の一例を表す図である。
【図５】本発明の実施の形態に係る録画番組管理情報の一例を表す図である。
【図６】本発明の実施の形態に係るプレイリスト管理情報の一例を表す図である。
【図７】本発明の実施の形態に係るシリーズ管理情報の一例を表す図である。
【図８】本発明の実施の形態に係る録画された番組の一覧の一例を表す図である。
【図９】本発明の実施の形態に係るシリーズ管理情報の更新の一例を表す模式図である。
【図１０】本発明の実施の形態に係るシリーズ管理情報の更新に関するフローチャートである。
【図１１】本発明の実施の形態に係るシリーズ再生に関するフローチャートである。
【図１２】本発明の変形例に係るソフトウェアに関するブロック図である。
【符号の説明】
【００７２】
１・・・録画再生システム、２・・・モニタ、３・・・録画再生装置、４・・・アンテナ、５・・・インターネット、２０・・・表示画面、３０・・・受信部、３１・・・入力部、３２・・・通信部、３３・・・制御部、３４・・・記憶部、３５・・・録画再生部、３６・・・情報表示部、３７・・・出力部、２００・・・メニュ、２０１・・・通常再生、２０２・・・シリーズ再生、２０３・・・シリーズ情報表示、２０４・・・録画番組削除、２０５・・・シリーズ削除、３４０・・・ソフトウェア、３４１・・・録画予約情報、３４２・・・録画番組管理情報、３４３・・・プレイリスト管理情報、３４４・・・シリーズ管理情報、３４５・・・録画データ、４００・・・録画予約部、４０１・・・シリーズ検出部、４０２・・・管理情報作成部、４０３・・・シーン検出部、４０４・・・ダイジェスト管理情報作成部、４１０・・・オペレーティングシステム、４２０・・・受信ドライバ、４２１・・・入力ドライバ、４２２・・・通信ドライバ、４２３・・・メディアドライバ、４２４・・・コーデックドライバ、４２５・・・表示ドライバ、４２６・・・出力ドライバ、３４１０・・・予約名情報、３４１１・・・予約日時情報、３４２０・・・情報ＩＤ、３４２１・・・番組名情報、３４２２・・・録画番組情報、３４２３・・・録画時間情報、３４２４・・・参照情報、３４２５・・・前回再生停止位置情報、３４３０・・・プレイリストＩＤ、３４３１・・・プレイリスト名情報、３４３２・・・プレイリスト構成情報、３４３３・・・再生時間情報、３４３４・・・前回再生停止位置情報、３４４０・・・シリーズＩＤ、３４４１・・・シリーズ名情報、３４４２・・・シリーズ構成情報、３４４３・・・再生時間情報、３４４４・・・前回再生停止位置情報、３４４４・・・前回再生停止位置情報、４０００・・・アプリケーション群、４２００・・・ドライバ群、４３００・・・デバイス群
【図１】
2008130175.tif 000003
【図２】
2008130175.tif 000004
【図３】
2008130175.tif 000005
【図４】
2008130175.tif 000006
【図５】
2008130175.tif 000007
【図６】
2008130175.tif 000008
【図７】
2008130175.tif 000009
【図８】
2008130175.tif 000010
【図９】
2008130175.tif 000011
【図１０】
2008130175.tif 000012
【図１１】
2008130175.tif 000013
【図１２】
2008130175.tif 000014